(57)【特許請求の範囲】
【請求項１】
穀物を貯留する貯留室（２）と、該貯留室（２）の下方に設けられ、貯留室（２）から流下する穀物を乾燥する乾燥室（５）とを箱体内に備え、乾燥室（５）から貯留室（２）に穀物を循環し乾燥する穀物乾燥機において、
箱体の一壁面の下部から突出し、乾燥室（５）内の排気を行う排風ファン（１３）と、
前記排風ファン（１３）と同一の壁面の上部に支持部材（４８）を介して設けられ、箱体内を循環する穀物に混じる塵埃を導入し集塵するサイクロン（２５）と
を設け、
前記箱体の天井部（１０）であって、前記サイクロンの設置壁面と該壁面に対向する壁面間に亘って、内部に空間を有する上部樋（２２）を設け、
前記天井部（１０）に、箱体内を循環する塵埃を吸引する排塵機（２４）を設け、
前記上部樋（２２）内部の、サイクロン（２５）の設置壁面と対向する壁面側の空間に、箱体内を循環する穀物を貯留室（２）に搬送する上部搬送ラセン（２３）を設け、
前記上部樋（２２）内部の、サイクロン（２５）の設置壁面側の空間に、排塵機（２４）で吸引された塵埃が排出される塵埃排出室（５４）を設け、
前記塵埃排出室（５４）と前記サイクロン（２５）間を接続して塵埃排出室（５４）内の塵埃及び排風をサイクロン（２５）に送る第一接続筒（５０）と、
前記サイクロン（２５）と天井部（１０）とを接続してサイクロン（２５）で塵埃が分離された排風を貯留室（２）又は塵埃排出室（５４）に送る第二接続筒（５１，５２）とを設けたことを特徴とする穀物乾燥機。
【請求項２】
前記サイクロン（２５）の下端部と排風ファン（１３）とを接続し、サイクロンで分離された塵埃を排風ファン（１３）に送る塵埃落下筒（６２）を設け、
サイクロン（２５）の下端部と塵埃落下筒（６２）との連結部に、サイクロン（２５）内と塵埃落下筒（６２）とを遮断可能とし、且つサイクロン（２５）内の塵埃を塵埃落下筒（６２）に供給する繰り出し体（６０）を設けたことを特徴とする請求項１に記載の穀物乾燥機。
【請求項３】
穀物を貯留する貯留室（２）と、該貯留室（２）の下方に設けられ、貯留室（２）から流下する穀物を乾燥する乾燥室（５）とを箱体内に備え、乾燥室（５）から貯留室（２）に穀物を循環し乾燥する穀物乾燥機において、
箱体の一壁面の下部から突出し、乾燥室（５）内の排気を行う排風ファン（１３）と、
前記排風ファン（１３）と同一の壁面の上部に支持部材（４８）を介して設けられ、箱体内を循環する穀物に混じる塵埃を導入し集塵するサイクロン（２５）と
を設け、
サイクロン（２５）の下方に、サイクロン（２５）内の塵埃を供給して一時的に貯留する塵埃貯留室（６４）を設け、
塵埃貯留室（６４）の下方に、塵埃貯留室（６４）内の塵埃を外部に移送する移送手段（６６，６８）を設け、
前記移送手段（６６，６８）は、正逆転する回転軸（６６ａ）を備え、排風ファン（１３）の上方で壁面左右方向に長手方向を有し、前記回転軸（６６ａ）の回転により壁面左右方向に塵埃を移送する移送装置であって、
該移送装置の左右両端部であって、且つ排風ファン（１３）の左右両側に、塵埃を外部に排出する塵埃排出口（６８ａ）を配置したことを特徴とする穀物乾燥機。
【請求項４】
穀物を貯留する貯留室（２）と、該貯留室（２）の下方に設けられ、貯留室（２）から流下する穀物を乾燥する乾燥室（５）とを箱体内に備え、乾燥室（５）から貯留室（２）に穀物を循環し乾燥する穀物乾燥機において、
箱体の一壁面の下部から突出し、乾燥室（５）内の排気を行う排風ファン（１３）と、
前記排風ファン（１３）と同一の壁面の上部に支持部材（４８）を介して設けられ、箱体内を循環する穀物に混じる塵埃を導入し集塵するサイクロン（２５）と
を設け、
サイクロン（２５）の下方に、サイクロン（２５）内の塵埃を供給して一時的に貯留する塵埃貯留室（６４）を設け、
塵埃貯留室（６４）の下方に、塵埃貯留室（６４）内の塵埃を外部に移送する移送手段（６６，６８）を設け、
前記移送手段（６６，６８）は、正逆転する回転軸（６６ａ）を備え、排風ファン（１３）の上方で壁面左右方向に長手方向を有し、前記回転軸（６６ａ）の回転により壁面左右方向に塵埃を移送する移送装置であって、
該移送装置の左右両端部に、塵埃を外部に排出する塵埃排出口（６８ａ）を配置し、
該左右の塵埃排出口（６８ａ）のうち一方は排風ファン（１３）に接続し、他方は塵埃を収容する塵埃収容容器（７０）に接続していることを特徴とする穀物乾燥機。
【発明の詳細な説明】
【技術分野】
【０００１】
本発明は、穀物乾燥機で乾燥する穀物に混じる藁屑を集塵して処理する装置に関する。
【背景技術】
【０００２】
昇降機で揚穀された穀粒を搬送して貯留室内に拡散し、貯留室下方の流下通路からロータリバルブにより穀粒を一定量ずつ繰り出して再び昇降機に搬送する循環式の穀物乾燥機が知られている。このような穀物乾燥機において、例えば下記特許文献１には、昇降機で揚穀された穀粒に混じる藁屑を吸引する集塵ファンを備え、集塵ファンの排出口にサイクロンを備えて、サイクロンで夾雑物と排風に分離し、排風を、フィルタを通して乾燥機内に戻す穀物乾燥機が開示されている。
【０００３】
また、下記特許文献２には、昇降機上部の吐出口に集塵用排風機を設け、集塵用排風機の排風口とサイクロンの吸入口を連結し、サイクロンの排風口を乾燥用排風機の給風口に連結した穀物乾燥機が開示されている。この構成により、乾燥機の排風とサイクロンで分離された排風が給風口に集められて屋外に排出される。
【先行技術文献】
【特許文献】
【０００４】
【特許文献１】特開２００７−３１４９号公報
【特許文献２】特開昭５９−４１７７６号公報
【発明の概要】
【発明が解決しようとする課題】
【０００５】
上記特許文献１に記載の構成によれば、サイクロンで分離してフィルタで濾過された排風を乾燥機内に戻すことで、一度吸引した塵埃を再度乾燥機内に戻してしまうことを防止できる。また、特許文献２に記載の構成によれば、乾燥機の排風とサイクロンで分離された排風を一貫的に処理することができる。
【０００６】
しかし、特許文献１に記載の構成では、サイクロンは乾燥機本体の右側壁から突出して設けられ、排風ファンは乾燥機本体の後壁面から突出して設けられており、特許文献２に記載の構成では、サイクロンが穀物乾燥機本体とは別に、乾燥用排風機（排風ファン）の隣に接地して設けられている。従って、これらの構成では穀物乾燥機が大型化してしまい、設置場所が限られてしまう。
【０００７】
本発明の課題は、穀物に混じる藁屑を集塵するサイクロンと乾燥機内の排気をする排風ファンを備えていても、設置スペースを取ることなくコンパクトな構成の穀物乾燥機を提供することである。
【課題を解決するための手段】
【０００８】
本発明の上記課題は次の解決手段により解決される。
請求項１記載の発明は、穀物を貯留する貯留室（２）と、該貯留室（２）の下方に設けられ、貯留室（２）から流下する穀物を乾燥する乾燥室（５）とを箱体内に備え、乾燥室（５）から貯留室（２）に穀物を循環し乾燥する穀物乾燥機において、箱体の一壁面の下部から突出し、乾燥室（５）内の排気を行う排風ファン（１３）と、前記排風ファン（１３）と同一の壁面の上部に支持部材（４８）を介して設けられ、箱体内を循環する穀物に混じる塵埃を導入し集塵するサイクロン（２５）とを設け、前記箱体の天井部（１０）であって、前記サイクロンの設置壁面と該壁面に対向する壁面間に亘って、内部に空間を有する上部樋（２２）を設け、前記天井部（１０）に、箱体内を循環する塵埃を吸引する排塵機（２４）を設け、前記上部樋（２２）内部の、サイクロン（２５）の設置壁面と対向する壁面側の空間に、箱体内を循環する穀物を貯留室（２）に搬送する上部搬送ラセン（２３）を設け、前記上部樋（２２）内部の、サイクロン（２５）の設置壁面側の空間に、排塵機（２４）で吸引された塵埃が排出される塵埃排出室（５４）を設け、前記塵埃排出室（５４）と前記サイクロン（２５）間を接続して塵埃排出室（５４）内の塵埃及び排風をサイクロン（２５）に送る第一接続筒（５０）と、前記サイクロン（２５）と天井部（１０）とを接続してサイクロン（２５）で塵埃が分離された排風を貯留室（２）又は塵埃排出室（５４）に送る第二接続筒（５１，５２）とを設けたことを特徴とする穀物乾燥機である。
【００１０】
請求項２記載の発明は、前記サイクロン（２５）の下端部と排風ファン（１３）とを接続し、サイクロンで分離された塵埃を排風ファン（１３）に送る塵埃落下筒（６２）を設け、サイクロン（２５）の下端部と塵埃落下筒（６２）との連結部に、サイクロン（２５）内と塵埃落下筒（６２）とを遮断可能とし、且つサイクロン（２５）内の塵埃を塵埃落下筒（６２）に供給する繰り出し体（６０）を設けたことを特徴とする請求項１に記載の穀物乾燥機である。
【００１２】
請求項３記載の発明は、穀物を貯留する貯留室（２）と、該貯留室（２）の下方に設けられ、貯留室（２）から流下する穀物を乾燥する乾燥室（５）とを箱体内に備え、乾燥室（５）から貯留室（２）に穀物を循環し乾燥する穀物乾燥機において、箱体の一壁面の下部から突出し、乾燥室（５）内の排気を行う排風ファン（１３）と、前記排風ファン（１３）と同一の壁面の上部に支持部材（４８）を介して設けられ、箱体内を循環する穀物に混じる塵埃を導入し集塵するサイクロン（２５）とを設け、サイクロン（２５）の下方に、サイクロン（２５）内の塵埃を供給して一時的に貯留する塵埃貯留室（６４）を設け、塵埃貯留室（６４）の下方に、塵埃貯留室（６４）内の塵埃を外部に移送する移送手段（６６，６８）を設け、前記移送手段（６６，６８）は、正逆転する回転軸（６６ａ）を備え、排風ファン（１３）の上方で壁面左右方向に長手方向を有し、前記回転軸（６６ａ）の回転により壁面左右方向に塵埃を移送する移送装置であって、該移送装置の左右両端部であって、且つ排風ファン（１３）の左右両側に、塵埃を外部に排出する塵埃排出口（６８ａ）を配置したことを特徴とする穀物乾燥機である。
【００１３】
請求項４記載の発明は、穀物を貯留する貯留室（２）と、該貯留室（２）の下方に設けられ、貯留室（２）から流下する穀物を乾燥する乾燥室（５）とを箱体内に備え、乾燥室（５）から貯留室（２）に穀物を循環し乾燥する穀物乾燥機において、箱体の一壁面の下部から突出し、乾燥室（５）内の排気を行う排風ファン（１３）と、前記排風ファン（１３）と同一の壁面の上部に支持部材（４８）を介して設けられ、箱体内を循環する穀物に混じる塵埃を導入し集塵するサイクロン（２５）とを設け、サイクロン（２５）の下方に、サイクロン（２５）内の塵埃を供給して一時的に貯留する塵埃貯留室（６４）を設け、塵埃貯留室（６４）の下方に、塵埃貯留室（６４）内の塵埃を外部に移送する移送手段（６６，６８）を設け、前記移送手段（６６，６８）は、正逆転する回転軸（６６ａ）を備え、排風ファン（１３）の上方で壁面左右方向に長手方向を有し、前記回転軸（６６ａ）の回転により壁面左右方向に塵埃を移送する移送装置であって、該移送装置の左右両端部に、塵埃を外部に排出する塵埃排出口（６８ａ）を配置し、該左右の塵埃排出口（６８ａ）のうち一方は排風ファン（１３）に接続し、他方は塵埃を収容する塵埃収容容器（７０）に接続していることを特徴とする穀物乾燥機である。
【発明の効果】
【００１４】
請求項１，３，４記載の発明によれば、排風ファン（１３）とサイクロン（２５）が同じ壁面側の上部と下部に配置されることで、壁面から突出する排風ファン（１３）の上部のデッドスペースにサイクロン（２５）を設置できるため、スペースを有効利用して集塵を行うことができる。従って、穀物乾燥機の大型化を防止でき、コンパクトな構成で集塵を行うことができる。
【００１５】
また、請求項１記載の発明によれば、上部搬送ラセン（２３）を収容する上部樋（２２）のサイクロン設置側の空間を有効利用してサイクロン（２５）による集塵を行うことができる。従って、排塵機（２４）からサイクロン（２５）に送るダクトなどの部品点数を削減でき、これらの施工も現地で容易にできる。
【００１６】
請求項２記載の発明によれば、上記請求項１に記載の効果に加えて、サイクロン（２５）下部に設けた繰り出し体（６０）により排風ファン（１３）からの排風がサイクロン（２５）内に流入して塵埃が逆流することを防止できると共に、サイクロン（２５）内の塵埃を排風ファン（１３）に供給することで排風ファン（１３）の吸引風を利用でき、塵埃を屋外に排出できる。
【００１７】
また、請求項３，４記載の発明によれば、穀物乾燥機の乾燥運転中は塵埃を一時的に塵埃貯留室（６４）に貯留し、乾燥運転後に塵埃貯留室（６４）内の塵埃を移送手段（６６，６８）によりまとめて外部に排出できる。従って、乾燥運転の途中で塵埃を排出することなく、貯留しておくことができる。
【００１８】
さらに、請求項３記載の発明によれば、排風ファン（１３）の左右両側のデッドスペースに塵埃を収容する袋や容器を設けることができるため、デッドスペースを有効利用できる。従って、塵埃収容用の袋や容器の設置により穀物乾燥機の大型化を招くこともなく、集塵した藁屑を収容できる。また、排風ファン（１３）が邪魔になることなく、塵埃を回収できる。
【００１９】
さらに、請求項４記載の発明によれば、排風ファン（１３）から塵埃を機外に排出するか、塵埃収容容器（７０）に収容するかを選択できる。
【図面の簡単な説明】
【００２０】
【図１】本発明の一実施形態による穀物乾燥機の全体切断側面図である。
【図２】図１の穀物乾燥機の全体正面図（一部省略）である。
【図３】排塵機の正面図である。
【図４】図１の穀物乾燥機の操作パネルの図である。
【図５】図１の穀物乾燥機の制御ブロック図である。
【図６】本発明の他の実施形態による穀物乾燥機の全体切断側面図である。
【図７】本発明の他の実施形態による穀物乾燥機の全体切断側面図である。
【図８】図７の穀物乾燥機の背面図である。
【図９】本発明の他の実施形態による穀物乾燥機の背面図である。
【図１０】本発明の他の実施形態による穀物乾燥機の全体切断側面図である。
【図１１】上部ラセン樋と拡散羽根との関係を示した簡略側面図である。
【図１２】図１２（Ａ）は、図３の排塵機と圧力センサとの接続部の詳細図であり、図１２（Ｂ）は、接続部の排塵機側の側面図である。
【図１３】図１２（Ａ）の圧力センサの別の例を示した図である。
【発明を実施するための形態】
【００２１】
以下、本発明の実施形態について説明する。図１は本発明の一実施形態による穀物乾燥機の全体切断側面図を示し、図２は全体正面図（見やすいように一部を省略している）を示す。また、図３には排塵機の正面図を示す。
【００２２】
乾燥機内には貯留室２、排風室３、熱風室４を備え、乾燥機の壁面外部に昇降機１６を配置している。なお、排風室３及び熱風室４を合わせて乾燥室５ということがある。
排風室３と熱風室４を仕切る壁８の間に上方から下方に向けて漏斗状の穀粒が落下する穀粒流路９が形成されており、この穀粒流路９を落下する間に穀粒は熱風で間接的に乾燥される。
【００２３】
従って、貯留室２内の穀粒は天井部１０から下方に落下していく過程で、排風室３と熱風室４の間の穀粒流路９で乾燥される。このとき、貯留室２内の天井部１０に設けた拡散羽根３５により穀粒は、貯留室２内の水平断面の全体に亘り広がりながら落下することで乾燥し易くなる。
【００２４】
乾燥された穀粒は、穀粒流路９の下端部に集められ、穀粒流路９の下端部に設けられたロータリバルブ３８で繰り出され落下して下部に設けられた下部コンベア３９により乾燥機の外部にある昇降機１６に抜き出され、乾燥機の天井部１０側に搬送されて、天井部１０に設けられた上部ラセン２３により、再び貯留室２に供給される。
また、貯留室２内の適所に張込センサ１２が配置されており、張り込み穀粒量を適宜検出できる。
【００２５】
昇降機１６の壁面には揚穀中に落下する穀粒を取り込み穀粒の水分値を検出する水分計１７を取り付け、昇降機１６の側方には乾燥作業の各種制御を行うコントローラ（制御装置）１００内蔵の操作パネル３２及び加温装置であるバーナ１９を備えている。バーナ１９で発生した熱は排風ファン１３の吸引風により熱風となり、機体内部の熱風室４を通過し流下中の穀粒から水分を除去し、排風ファン１３で吸引され機外に排出される。尚、本明細書中、穀物乾燥機の全体については、操作パネル３２の設置されている壁面側を前（正面）、排風ファン１３の設置されている壁面側を後ろ（背面）と言う。
【００２６】
そして、図３に示すように排塵機２４には排塵モータ２７と該排塵モータ２７で作動する排塵ファン２１及び圧力センサ２９が配置されている。圧力センサ２９についての詳細は後述するが、このセンサは吸引方式の閉塞センサであり、排塵機２４を構成する吸引ダクト２６の外側に設けられ、排塵機２４内の圧力が検出できる。
【００２７】
図４には本実施例の穀物乾燥機の操作パネル３２を示し、図５には穀物乾燥機の制御機構をブロック図で示す。
パネル手前側には穀類の張込ボタン（スイッチ）３３ａ、通風ボタン３３ｂ、乾燥ボタン３３ｃ、排出ボタン３３ｄ、停止ボタン３３ｅが並列配置されており、上記設定ボタン３３ａ〜３３ｅによりそれぞれの運転操作を行うことができる。熱風温度、水分、残り時間について液晶画面３４に表示可能であり、また緊急停止ボタン３７により乾燥機を緊急停止することもできる。
【００２８】
その他に乾燥休止時間の設定、タイマの設定及び張り込み量と水分量の設定がそれぞれできるボタン４５ａ、４５ｂとその増減をそれぞれ行う増加ボタン４５ｃと減少ボタン４５ｄが設けられており、それらのボタン４５ａ〜４５ｄによる設定値は液晶画面３４に表示される構成になっている。
【００２９】
まず、張込ボタン３３ａを押すと昇降機１６、上部ラセン２３及び拡散羽根３５が作動を開始し、張込ホッパ５５に穀粒を投入すると、穀粒は昇降機１６で揚穀され、上部ラセン２３で搬送され、拡散羽根３５で貯留室２内に拡散されながら張り込まれる。張込作業を終了させるときには、オペレータが停止ボタン３３ｅを操作することにより昇降機１６等が停止する。
【００３０】
そして、目標水分値（水分設定ボタン４５ｂにより、例えば１４．５％とする）、乾燥速度（乾燥速度ボタン４６により行う）などの乾燥運転条件を設定する。
次いで乾燥ボタン３３ｃをオンとして乾燥運転を開始すると、ロータリバルブ３８、下部ラセン３９、昇降機１６、上部ラセン２３、拡散羽根３５及び排塵モータ２７が作動を開始すると共にバーナ１９が燃焼を開始することで、乾燥作業が開始される。ここで、常時作動している圧力センサ２９の検出圧力が低下して異常の範囲内に入ると異常を警報装置３６の報知で知らせる。
【００３１】
そして目標とする穀類の水分値が得られたら、乾燥運転は停止する。
穀粒の乾燥が済み、排出ボタン３３ｄをオンにすると、ロータリバルブ３８、下部ラセン３９、昇降機１６及び排塵機２４が作動を開始して、昇降機１６の頂部に設けられた排出シャッター（図示せず）が排出側に切り替わり、排出口４２から穀粒が乾燥機外に排出される。
【００３２】
穀粒の乾燥機からの排出により乾燥機内の穀粒の張り込み量が設定値より低下したことが、張込センサ１２で検知されると、排塵機２４をオフとし、昇降機１６内に設置された水分計１７で穀粒が無いことを検出すると、ロータリバルブ３８、下部ラセン３９及び昇降機１６をオフとして、穀粒の乾燥運転を全て終了する。
【００３３】
そして、本実施形態の穀物乾燥機では、乾燥機の背面側の壁面下部から排風ファン１３が突出しており、その上方にサイクロン２５が設置されている。サイクロン２５は、ステー又はブラケット４８などの支持部材により乾燥機背面側の壁面上部に設置されている。
【００３４】
このように、排風ファン１３とサイクロン２５を同じ壁面側の上部と下部に配置することで、壁面から突出する排風ファン１３の上部のデッドスペースにサイクロン２５を設置できるため、スペースを有効利用して集塵を行うことができる。従って、穀物乾燥機の大型化を防止でき、コンパクトな構成で集塵を行うことができる。特に、平面視でサイクロン２５と排風ファン１３をオーバーラップして設けることで、その効果も大きくなる。
【００３５】
そして、上部ラセン樋２２は前部（操作パネル３２側）と後部（排風ファン１３側）が壁５３で仕切られ、分割した構成であり、前部に上部ラセン２３を収容し、後部を排塵機２４の排塵ファン２１の吐出口が接続する塵埃排出室５４としている。塵埃排出室５４は上部ラセン２３側とは仕切られた構造であり、この部分が排塵ダクトとして機能する。
【００３６】
通常、上部ラセン樋２２には、上部ラセン２３が前側にしか設けられていないため、後ろ側が空いたスペースとなっている。しかし、この空間部を排塵機２４の排塵ダクトとして利用することで、別途乾燥機の外部に排塵ダクトを設ける必要がないため、部品点数を削減できる。この構成の場合には、排塵機２４は貯留室２と連通し、貯留室２内の藁屑等の塵埃を吸引し、塵埃排出室５４へ塵埃を排出する。
【００３７】
更に、塵埃排出室５４に接続する第一接続筒５０からサイクロン２５に流入して塵埃と排風とに分離され、排風は第二接続筒５１を経て貯留室２に戻される。すなわち、第二接続筒５１と天井１０ａとを連結する。
【００３８】
サイクロン２５を穀物乾燥機の内部に設置することは、スペース上の問題や排風の処理の問題などがあり難しいが、サイクロン２５を穀物乾燥機の外部に設置して、その排風のみ乾燥機の内部に戻すことで、穀物乾燥機の内部に塵埃が混入することを防止できる。
【００３９】
また、本構成を採用することにより、天井部１０の上部ラセン２３を収容する上部ラセン樋２２の後部を有効利用してサイクロン２５による集塵を行うことができる。更に、排塵機２４とサイクロン２５と乾燥機内部を排風が循環することで、排塵機２４内の圧力変動に特に影響は与えることはない。
なお、第二接続筒５１は上部ラセン樋２２の後部と接続し、サイクロン２５で分離された排風を塵埃排出室５４に戻す構成でも良い。
【００４０】
そして、サイクロン２５下部の排出口にロータリバルブ６０等の繰り出し体を設けることで、乾燥機の内部と外部とを遮断できる。即ち、サイクロン２５内に外部からの埃等の進入を防止できると共に、サイクロン２５内の塵埃が外部に吹き出ることも防止できる。従って、穀物乾燥機内への塵埃の流入も防止できる。
【００４１】
そして、オペレータがロータリバルブ６０を回すことで、サイクロン２５内の塵埃が落下して塵埃を回収できる。また、乾燥運転中、制御装置１００によってロータリバルブ６０を自動で１０分ごとに１０回転程度運転させても良い。この設定は自由にでき、ロータリバルブ６０の回転によりサイクロン２５で分離された塵埃が落下してサイクロン２５内は空になる。サイクロン２５の排出口にはホースや袋や箱等を設置して塵埃を回収すれば良い。
【００４２】
また、図６には、本発明の他の実施形態による穀物乾燥機の全体切断側面図を示す。  
この例では、サイクロン２５の排出口にパイプ（塵埃落下筒）６２の一端を接続し、パイプ６２の他端を排風ファン１３に接続しており、サイクロン２５と排風ファン１３を連通させた構成を示している。また、第二接続筒５２を弾性体等のフレキシブルな素材からなるチューブとし、角部をなくせば角部に塵埃が溜まることを防止できる。
【００４３】
本構成によれば、サイクロン２５内の塵埃を排風ファン１３に供給することで排風ファン１３の吸引風を利用でき、塵埃を屋外に排出できる。また、仮に排風ファン１３からパイプ６２内に塵埃が流入しても、サイクロン２５の排出口にはロータリバルブ６０が設置されていることで、サイクロン２５内への逆流を防止できる。
【００４４】
また、図７には、本発明の他の実施形態による穀物乾燥機の全体切断側面図を示し、図８には図７の穀物乾燥機の背面図を示す。
この例では、サイクロン２５の排出口にダストボックス（塵埃貯留室）６４を設けた構成を示している。本構成によれば、塵埃を一時的にダストボックス６４に貯留し、乾燥運転後にダストボックス６４内の塵埃をまとめて外部に排出できる。ダストボックス６４は、サイクロン２５と排風ファン１３との間の空間部に図示しない支持部材（ステー又はブラケット等）により懸架して配置すれば良い。
【００４５】
サイクロン２５の下部と排風ファン１３の上部との間のデッドスペースにダストボックス６４を設けることで、その空間を有効利用できる。穀物乾燥機の種類によっては、塵埃量を籾の０．１５％とすると、１００ｋｇ近くにもなる。穀物乾燥機の正面側には操作パネル３２や張込ホッパ５５や昇降機１６などの装置が配置されているが、背面側の壁面には大容量のデッドスペースが存在している。従って、このスペースを利用してダストボックス６４を設置することで、１回分のゴミを途中で排出することなく貯留しておくことができる。
【００４６】
そして、ダストボックス６４の下端部に搬送ラセン６６等の塵埃の移送手段（移送装置）を設けることで、壁面左右（幅）方向に塵埃を移送して左右端部から取り出す構成としても良い。尚、搬送ラセン６６によらずとも、ベルトコンベアなどの移送装置でも良い。
【００４７】
ダストボックス６４内の塵埃は、ダストボックス６４内の塵埃がダストボックス下部の排出口から搬送ラセン樋６８に落下して搬送ラセン樋６８に収容される塵埃搬送ラセン６６により左右方向に移送される。塵埃搬送ラセン６６の左右端部側の塵埃排出口６８ａにはダストコンテナ（塵埃収容容器）７０を設置して、搬送された塵埃を収容すれば良い。尚、搬送ラセン樋６８の塵埃排出口６８ａにはダストコンテナ７０に限らず、塵埃を収容できる箱や袋を設置すれば良く、例えば単なるゴミ袋を使用しても良い。以下の構成においても同様である。
【００４８】
塵埃搬送ラセン６６は定期的（例えば１時間毎）に定量（例えば１０分程度）、自動で回転するように制御装置１００によって制御することで、ダストボックス６４の容量を少量化しても良い。また、操作パネル３２又はその近傍に、塵埃搬送ラセン６６を回転させてダストボックス６４内の塵埃を強制的に排出させる塵埃排出ボタン７２（図５）を設けると作業者が任意で塵埃搬送ラセン６６を回転させることができる。
【００４９】
本構成を採用することにより、乾燥機の背面側のスペースの更なる有効利用が図れる。また、穀物乾燥機の乾燥運転中は塵埃を一時的にダストボックス６４に貯留し、乾燥運転後にダストボックス６４内の塵埃を塵埃搬送ラセン６６によりまとめて外部に排出できることで、作業効率も向上する。
【００５０】
そして、ダストボックス６４下部の塵埃搬送ラセン６６は、回転軸６６ａを正逆転させることで、搬送ラセン樋６８の左右両側に設けた塵埃排出口６８ａから穀物乾燥機の左右両方向に塵埃を引き出すようにすることができる。
本構成を採用することにより、排風ファン１３の両側にダストコンテナ７０を設置できるため、十分な量の塵埃を収容することができる。従って、ダストコンテナ７０を頻繁に交換する必要もなく、作業効率も向上する。そして、塵埃搬送ラセン６６を定期的に正転と逆転を繰り返すように作動させることで、二つのダストコンテナ７０にバランス良く塵埃を収容できる。
【００５１】
そして、このように排風ファン１３の左右両側のデッドスペースを有効利用できることで、ダストコンテナ７０の設置によっても穀物乾燥機の大型化を招くこともなく、集塵した藁屑を十分な量、収容できる。また、塵埃をダストコンテナ７０に定期的に排出することで、ダストボックス６４内が満杯にならない。
【００５２】
図９には、本発明の他の実施形態による穀物乾燥機の背面図を示す。
この例では、搬送ラセン樋６８の左右一端の塵埃排出口６８ａをダストコンテナ７０の開口に接続し、左右他端の塵埃排出口６８ａを排風ファン１３に接続した構成を示している。従って、塵埃搬送ラセン６６の回転方向を変えることで、ダストボックス６４に溜まった塵埃をダストコンテナ７０側又は排風ファン１３側に送ることができる。
【００５３】
操作パネル３２又はその近傍に清掃ボタン７４（図５）を設け、乾燥及び排出運転後の貯留室２が空になった状態の時に清掃ボタン７４を押すことで、塵埃搬送ラセン６６の向きが排風ファン１３側になるようにすると、清掃時に塵埃を屋外に排出できる。清掃モード時には排風ファン１３も作動する。
【００５４】
穀物の乾燥運転が全て終了した後に、全ての塵埃を屋外に排出することで、清掃作業の効率化を図ることができる。また、塵埃排出ボタン７２のオン時にはダストコンテナ７０側に塵埃搬送ラセン６６が回転し、清掃ボタン７４のオン時には排風ファン１３側に塵埃搬送ラセン６６が回転する構成にすると、作業者の判断で排風ファン１３から塵埃を機外に排出するか、ダストコンテナ７０に収容するかを選択でき、必要時にいつでもダストボックス６４に溜まった塵埃を屋外に排出できる。
尚、図６〜図９に示すチューブ状の第二接続筒５２においても、サイクロン２５で分離された排風を塵埃排出室５４に戻す構成としても良い。
【００５５】
図１０には、本発明の他の実施形態による穀物乾燥機の全体切断側面図を示す。この例では、排塵機２４を上部ラセン２３側の上部ラセン樋２２の上方に設ける。そして、排塵機２４の排出側と塵埃排出室５４とを塵埃排出案内筒５７で連結する。上部ラセン２３で搬送される籾から塵埃を吸引し、塵埃は塵埃排出案内筒５７及び塵埃排出室５４を経てサイクロン２５へ排出される。本構成によっても、穀粒に混じる塵埃を吸引できる。尚、チューブ状の第二接続筒５２においても、上記構成としても良いことは言うまでもない。
【００５６】
図１１には、上部ラセン樋２２と拡散羽根３５との関係を示した簡略側面図を示す。  
通常、穀物乾燥機は、図１１（Ａ）に示すように、上部ラセン樋２２の底板２２ａはスライド板８０によって閉鎖状態と開口状態とに設定できるようになっている。
【００５７】
上述のように、穀粒は昇降機１６から上部ラセン２３で搬送され、拡散羽根３５で貯留室２内に拡散されながら張り込まれる。この際、拡散羽根３５のある中央付近から落下させることで、左右前後に穀物を分散させることができる。
【００５８】
一方、大豆の場合は、籾と異なり、拡散羽根３５に当たって割れが発生しやすいため、底板２２ａを開放させて張り込みを行う。しかし、底板２２ａを開放させた場合、貯留室２の手前から張り込むことになるため、前側の貯留量が多くなってしまい、均一に張り込むことができない。従って、乾燥ムラが生じやすい。
【００５９】
そこで、図１１（Ｂ）〜（Ｄ）に示すように、水平部８２ａと鉛直部８２ｂからなり、且つ水平部８２ａの中央部にスリット８２ｃを設けたスライド板８２を設置すると良い。大豆以外の穀物の場合は図１１（Ｂ）に示すようにスライド板８２を底板２２ａ側に寄せて、中央部の拡散羽根３５付近から投入し、大豆の場合は図１１（Ｃ）に示すようにスライド板８２を拡散羽根３５側に寄せて、拡散羽根３５を避けて投入する。水平部８２ａの中央部にスリット８２ｃがあることで、拡散羽根３５側にスライドさせても軸３５ａがスリット８２ｃに入り込み、拡散羽根３５に当たることはない。そして、スライド板８２の鉛直部８２ｂにより大豆が拡散羽根３５に当たることを防止しながら、貯留室２の中央付近に大豆を投入できる。
【００６０】
従って、スライド板８２をスライドさせることで、どんな種類や大きさの穀物でも、割れを防止しながら貯留室２の中央付近から投入できる。従って、穀物の貯留量の偏りの発生を防止して、均一な乾燥が行える。
【００６１】
また、排塵機２４の排塵モータ２７にインバーターを装備して、排塵モータ２７の回転速度を変更可能に構成しても良い。インバーターを装備した場合、大麦では、水分量が２２％よりも大きい高水分時と１６％未満の低水分時にはモータ回転数を通常回転数とし、１６〜２２％の中間の水分時にはモータ回転数を２割程度アップさせる制御を行う。
【００６２】
大麦などの殻が付いている麦は、特に塵埃が多く、その中でも殻の直ぐ内側にある綿毛のような毛が、乾燥機の排風室３や熱風室４を仕切る網目を詰まらせて、乾燥効率を低下させる要因となる。水分量が多い（高水分時）と殻が割れにくいが、乾燥して殻がめくれると綿毛は大量に発生することから、水分がある程度低下して殻が割れるころに排塵機２４の排塵能力を上げることで、効率よく塵埃を排出できる。
【００６３】
図１２（Ａ）には、図３の排塵機２４と圧力センサ２９との接続部の詳細図を示し、図１２（Ｂ）には、接続部の排塵機２４側の側面図を示している。
圧力センサ２９は吸引方式の閉塞センサであり、一端が排塵機２４とチューブ３１で接続し、ダイヤフラム９０を挟んで他端に大気口８６を設けている。通常動作では排塵ファン２１の作動によって矢印Ａ方向に吸引力が掛かっている。しかし、排塵機２４の停止時や吸引圧力の減少により、ダイヤフラム９０が元に戻るとき、僅かに圧力センサ２９側に逆流して塵埃等の微粒子９４が矢印Ｂ方向に引かれてニップル９２に入り込み、最終的に詰まってしまう場合があり、センサの誤検知を引き起こしてしまう要因となる。
【００６４】
そこで、図１２（Ｂ）に示すように、排塵機２４の上部にニップル９２を起立姿勢で設けることにより、チューブ３１も縦方向に接続され、塵埃等の微粒子９４が逆流して上方に引かれても、矢印Ｃ方向に自然落下することで、ニップル９２の詰まりを防止できる。また、排塵機２４の開口の径Ｒ１をニップル９２の径Ｒ２よりも大きくすることで、逆流した塵埃の引っかかりを防止できる。
本構成を採用することにより、ニップル９２やチューブ３１における塵埃の詰まりを防止できることで、センサの誤検知を防止できる。
【００６５】
図１３には、図１２の圧力センサ２９の別の例を示す。
この例では、排塵機２４と圧力センサ２９間のチューブ３１に電磁バルブ９５を設けた構成を示している。図１３（Ａ）に示すように、チューブ３１をＴ字型にして、電磁バルブ９５を排塵機側バルブ９５ａ、圧力センサ側バルブ９５ｂ、大気口側バルブ９５ｃの３カ所設けている。
【００６６】
図１３（Ｂ）〜（Ｃ）には、各バルブ９５ａ〜９５ｃの開閉状態を模式的に示している。図１３（Ｂ）では、排塵機側バルブ９５ａが閉、圧力センサ側バルブ９５ｂと大気口側バルブ９５ｃが開、図１３（Ｃ）では、排塵機側バルブ９５ａ、圧力センサ側バルブ９５ｂ、大気口側バルブ９５ｃの全てのバルブが開、図１３（Ｄ）では、排塵機側バルブ９５ａと圧力センサ側バルブ９５ｂが開、大気口側バルブ９５ｃが閉の状態を示している。
【００６７】
穀物乾燥機の停止時には、図１３（Ｂ）の状態として、排塵機側バルブ９５ａを閉じて乾燥機内に浮遊する塵埃と圧力センサ２９とを分離して、且つ圧力センサ側バルブ９５ｂと大気口側バルブ９５ｃを開くことで圧力センサ２９を大気圧に開放する。圧力センサ２９が大気圧になることで、ダイヤフラム９０に負荷がかからない。従って、圧力センサ２９が長持ちすると共に、誤検知の防止効果もある。
【００６８】
一方、通風運転及び乾燥開始時には、図１３（Ｃ）の状態として、全てのバルブ９５ａ〜９５ｃを開放する。このとき排塵ファン２１の送風に同期して、排塵ファン２１の吸引力により大気口側バルブ９５ｃから外気を取り入れて通風することで（矢印Ｄで示す）、チューブ３１内の塵埃を吹き飛ばし、詰まりを防止する。尚、前記通風運転とは、通風ボタン３３ｂをオンした際に、バーナ１９が燃焼せずに、昇降機１６、上部ラセン２３及び拡散羽根３５等が作動して、穀粒を乾燥機内に循環させる運転のことである。また、乾燥ボタン３３ｃをオンした乾燥運転開始時にもバーナ１９の燃焼前に昇降機１６、上部ラセン２３及び拡散羽根３５が作動する。
【００６９】
そして、一定時間通風後、大気口側バルブ９５ｃを閉じて図１３（Ｄ）の状態とし、圧力センサ２９の検知を開始する。圧力センサ２９の検出圧力が所定値以下ではなく即ち閉塞の検出がなければバーナ１９が燃焼を開始して乾燥運転が開始される。
【産業上の利用可能性】
【００７０】
本発明は、穀物乾燥機に限らず、穀物以外の固形物の乾燥機内の藁屑を集塵する集塵装置にも利用可能性がある。
【符号の説明】
【００７１】
２  貯留室        ３  排風室
４  熱風室        ５  乾燥室
８  壁            ９  穀粒流路
１０  天井部      １２  張込センサ
１３  排風ファン  １６  昇降機
１７  水分計      １９  バーナ
２１  排塵ファン  ２２  上部ラセン樋
２３  上部ラセン  ２４  排塵機
２５  サイクロン  ２６  吸引ダクト
２７  排塵モータ  ２９  圧力センサ
３１  チューブ    ３２  操作パネル
３３  設定ボタン
３４  液晶画面    ３５  拡散羽根
３６  警報装置    ３７  緊急停止ボタン
３８  ロータリバルブ
３９  下部ラセン  ４２  排出口
４５ａ〜４５ｄ  ボタン
４６  乾燥速度ボタン
４８  ブラケット  ５０  第一接続筒
５１，５２  第二接続筒
５３  壁          ５４  塵埃排出室
５５  張込ホッパ  ５７  塵埃排出案内筒
６０  ロータリバルブ
６２  パイプ      ６４  ダストボックス
６６  塵埃搬送ラセン
６８  搬送ラセン樋
７０  ダストコンテナ
７２  塵埃排出ボタン
７４  清掃ボタン  ８０，８２  スライド板
８６  大気口      ９０  ダイヤフラム
９２  ニップル    ９４  微粒子
９５  電磁バルブ  １００  制御装置
【図１】
0006693273.tif 000002
【図２】
0006693273.tif 000003
【図３】
0006693273.tif 000004
【図４】
0006693273.tif 000005
【図５】
0006693273.tif 000006
【図６】
0006693273.tif 000007
【図７】
0006693273.tif 000008
【図８】
0006693273.tif 000009
【図９】
0006693273.tif 000010
【図１０】
0006693273.tif 000011
【図１１】
0006693273.tif 000012
【図１２】
0006693273.tif 000013
【図１３】
0006693273.tif 000014